(57)【要約】      （修正有）【課題】蓄圧式消火器にあっても容器内に充填された消火薬剤を安全かつ容易に排出することができる蓄圧式消火器の消火薬剤排出装置を提供する。【解決手段】蓄圧式消火器の消火薬剤排出装置は、消火薬剤Ａが充填された消火器１の容器２から、消火薬剤Ａを外部に排出する。容器２を固定する消火器固定部１０と、先端が鋭利に形成されたパイプ状の針部２１と、針部２１の周囲を包囲するとともに容器２の外面を押圧するパッキン２２と、針部２１とパッキン２２を移動させ、針部２１を容器２の外面側から打ち込み容器２を貫通させるとともにパッキン２２を外面に押圧し、パイプ状の針部２１を介して消火薬剤Ａを外部に排出させるように移動させる可動具２０を備えている。【選択図】図１
0003196987.tif 000002
【実用新案登録請求の範囲】
【請求項１】
消火薬剤が充填された消火器の容器から、前記消火薬剤を外部に排出する消火薬剤排出装置であって、
前記容器を固定する消火器固定部と、
先端が鋭利に形成されたパイプ状の針部と、
前記針部の周囲を包囲するとともに前記容器の外面を押圧するパッキンと、
前記針部と前記パッキンを移動させ、前記針部を前記容器の外面側から打ち込み前記容器を貫通させるとともに前記パッキンを外面に押圧し、パイプ状の前記針部を介して前記消火薬剤を外部に排出させるように移動させる可動具を備えた蓄圧式消火器の消火薬剤排出装置。
【請求項２】
消火器固定部は容器の外周面の一方側を保持するように配設され、可動具は前記消火器固定部と対向する反対の他方側に配設され、針部を他方側から打ち込むように構成した請求項１に記載の蓄圧式消火器の消火薬剤排出装置。
【請求項３】
消火器固定部は容器の上端側を保持するように配設され、可動具は前記消火器の底面に配設され、針部を底面から打ち込むように構成した請求項１に記載の蓄圧式消火器の消火薬剤排出装置。
【請求項４】
容器に打ち込む針部の位置は、前記容器の内部に挿入されて消火薬剤を排出するサイホン管の下端に対応させた請求項１〜３のいずれかに記載の蓄圧式消火器の消火薬剤排出装置。
【請求項５】
容器の外面側から打ち込み容器を貫通させるパイプ状の第２の針部を備え、この第２の針部を移動させて前記容器の外面側から打ち込み前記容器を貫通させる第２の可動具を備え、前記第２の針部から圧縮気体を注入して前記容器内を加圧することにより消火薬剤を前記針部から外部に排出させるよう構成した請求項１に記載の蓄圧式消火器の消火薬剤排出装置。
【考案の詳細な説明】
【技術分野】
【０００１】  本考案は、蓄圧式消火器の容器内に充填された消火薬剤を容器から外部に排出するための蓄圧式消火器の消火薬剤排出装置に関する。
【背景技術】
【０００２】  一般に住宅や工場などに設置されている消火器は廃棄、リサイクルに際し解体される。この解体は、通常の場合、容器本体の口金部の雄ねじにねじ込まれているバルブキャップを容器本体から取り外し、次いでバルブを容器本体から抜き出した後、容器本体から消火薬剤を取り出すという手順で行なわれる。その際、バルブキャップの取り外しは専用冶具を用いてバルブキャップを緩み方向に回転させることによって行われている。
【考案の概要】
【考案が解決しようとする課題】
【０００３】  しかしながら、専用冶具を用いてバルブキャップを緩み方向に回転させるといった取り外し作業は大変な手間がかかるという問題点があった。容器本体の口金部は鉄製であり、一方バルブキャップは殆どアルミニウム製であるが、バルブキャップは容器本体の口金部に腐食により固着して離れ難くなっている場合が多くて、人力により専用冶具を用いてバルブキャップを取り外すには非常に時間と労力を要するのであった。また、このような場合にはバルブキャップをガスにより溶断することもあるが、これにおいても多くの時間と労力を要していた。【０００４】  ところが、蓄圧式消火器にあっては、容器本体内に消火薬剤と共にこの消火薬剤を噴出させるための加圧用ガスが充填されている。一般の蓄圧式消火器は、窒素ガス等の加圧用ガスが０．７〜０．９８ＭＰａの圧力で充填されていることから、バルブキャップを緩み方向に回転させたときに高圧の加圧用ガスが急激に噴出することから、取り外し作業には危険が伴う問題があった。このため、バルブキャップを取り外す作業に先立ち、予め加圧用ガスを排出させるための作業を行う必要があり、さらに時間と労力を要していた。【０００５】  本考案が解決しようとする課題は、蓄圧式消火器にあっても容器内に充填された消火薬剤を安全かつ容易に排出することができる蓄圧式消火器の消火薬剤排出装置を提供することにある。
【課題を解決するための手段】
【０００６】  そこで、本考案による蓄圧式消火器の消火薬剤排出装置は、消火薬剤が充填された消火器の容器から、前記消火薬剤を外部に排出する消火薬剤排出装置であって、前記容器を固定する消火器固定部と、先端が鋭利に形成されたパイプ状の針部と、前記針部の周囲を包囲するとともに前記容器の外面を押圧するパッキンと、前記針部と前記パッキンを移動させ、前記針部を前記容器の外面側から打ち込み前記容器を貫通させるとともに前記パッキンを外面に押圧し、パイプ状の前記針部を介して前記消火薬剤を外部に排出させるように移動させる可動具を備えることを要旨としている。【０００７】  また、消火器固定部は、容器の外周面の一方側を保持するように配設され、可動具は前記消火器固定部と対向する反対の他方側に配設され、針部を他方側から打ち込むように構成している。【０００８】  一方、消火器固定部は容器の上端側を保持するように配設され、可動具は前記消火器の底面に配設され、針部を底面から打ち込むように構成しても良い。【０００９】  さらに、容器に打ち込む針部の位置は、前記容器の内部に挿入されて消火薬剤を排出するサイホン管の下端に対応させることが望ましい。【００１０】  さらにまた、容器の外面側から打ち込み容器を貫通させるパイプ状の第２の針部を備え、この第２の針部を移動させて前記容器の外面側から打ち込み前記容器を貫通させる第２の可動具を備え、前記第２の針部から圧縮気体を注入して前記容器内を加圧することにより消火薬剤を前記針部から外部に排出させるよう構成しても良い。
【考案の効果】
【００１１】  本考案による蓄圧式消火器の消火薬剤排出装置によれば、消火薬剤が充填された消火器の容器の外面側から針部を打ち込み、容器を貫通させて消火薬剤を外部に排出させるように構成しているので、加圧用ガスが充填されていても、パイプ状の針部から消火薬剤や加圧用ガスを安全かつ容易に排出することができる。このとき、針部の周囲にはパッキンが設けられているので、消火薬剤や加圧用ガスが貫通させた孔から噴出することが防止されるので、安全に排出させることが可能となる。【００１２】  また、消火器固定部が容器の外周面の一方側を保持するように配設され、可動具が消火器固定部と対向する反対の他方側に配設されているので、消火器の容器に針部を確実に打ち込むときことが可能となる。【００１３】  さらに、消火器固定部として、容器の上端側を保持するように配設し、可動具を消火器の底面に配設して針部を底面から打ち込むようにすると、容器内に底面側に貯留されている消火薬剤の殆ど全てを排出することが可能となる。【００１４】  さらにまた、容器に打ち込む針部の位置を、消火薬剤を排出するサイホン管の下端に対応させることにより、通常の消火操作時と同様に、容器内に底面側に貯留されている消火薬剤であっても殆ど全てを排出することが可能となる。【００１５】  また、パイプ状の第２の針部を容器の外面側から打ち込み、圧縮気体を注入して容器内を加圧することにより、蓄圧式消火器の加圧用ガスが漏出して消火薬剤を排出できない場合であっても、圧縮気体の注入により容器内を加圧するので、容器内から消火薬剤を排出することが可能となる。
【図面の簡単な説明】
【００１６】
【図１】  本考案に関わる消火薬剤排出装置の実施例を示す側断面図である。
【図２】  図１に示す消火薬剤排出装置の平面図である。
【図３】  可動具を示す断面図である。
【図４】  本考案に関わる消火薬剤排出装置の第２の実施例を示す側断面図である。
【図５】  本考案に関わる消火薬剤排出装置の第３の実施例を示す側断面図である。
【考案を実施するための形態】
【００１７】  本考案による蓄圧式消火器の消火薬剤排出装置は、消火薬剤が充填された消火器の容器から、前記消火薬剤を外部に排出する消火薬剤排出装置であって、前記容器を固定する消火器固定部と、先端が鋭利に形成されたパイプ状の針部と、前記針部の周囲を包囲するとともに前記容器の外面を押圧するパッキンと、前記針部と前記パッキンを移動させ、前記針部を前記容器の外面側から打ち込み前記容器を貫通させるとともに前記パッキンを外面に押圧し、パイプ状の前記針部を介して前記消火薬剤を外部に排出させるように移動させる可動具を備えている。
【００１８】  以下、図面に基づいて本考案の実施例を詳細に説明する。図１、図２は、消火薬剤排出装置の第１の実施例を示し、消火器１の容器２を固定する消火器固定部１０と、パイプ状の針部２１及びパッキン２２を移動させる可動具２０によって構成されている。
【００１９】  消火器１は、蓄圧式消火器であって、全体的な構成については従来の標準タイプのものと同じである。すなわち、蓄圧式消火器は粉末又は液体の消火薬剤Ａと共にこの消火薬剤を噴出させるための圧縮空気あるいは窒素ガス等の加圧用ガスが０．７〜０．９８ＭＰａの圧力で充填された、例えば鉄、ステンレス、アルミニウムなどの金属、或いは、樹脂製の容器２、この容器２の口部に取り付けたバルブ（図示しない）に着脱可能に取り付けられて消火薬剤Ａを放出するためのサイホン管３、バルブに接続され先端にノズルが付けられた消火器ホース４、バルブに取り付けられて開閉操作をするための固定レバー５及び可動レバー６、この固定・可動レバー５、６に備えた安全栓７等によって構成される。
【００２０】  消火器固定部１０は、図１及び図２に示すように、消火器１を立てた状態で載置する載置台１１と、容器２の外周面の一方側を保持するように配設された保持部１２から構成されている。保持部１２は、図２に示すように、容器２の外周面の形状に合わせた円弧面とした凹面部１２ａが形成され、容器２が横方向に移動しないように固定する。この保持部１２は、容器２を載置台１１の所定位置に載置した後に、図示左方から移動させて容器２を保持し、消火薬剤Ａを排出した後に図示左方に移動させて退避させるような可動式に構成しても良い。また、保持部１２は、載置台１１に取り付けて固定するか、或いは、載置台１１と一体に形成しても良い。なお、保持部１２の凹面部１２ａは、Ｖ字状の溝に形成しても良い。
【００２１】  一方、可動具２０は、パイプ状の針部２１及びパッキン２２を固定するとともに、図示の左右方向に移動可能な固定ブロック２３が配設されている。この固定ブロック２３は、図示しない油圧シリンダー、或いは、電動または手動式の移動手段によって進退動自在に構成されている。
【００２２】  針部２１は、図３に示すように、消火薬剤Ａ或いは加圧用ガスが流通できるようにパイプ状に形成されている。また、先端は鋭利に形成され、全体的には略注射針のようになっている。そして、針部２１は先端側が所定寸法突出させて可動具２０の固定ブロック２３に固定されている。さらに、針部２１の後端側は、図示しない可逆性を有するパイプを介して消火薬剤回収装置３０に接続されている。
【００２３】  このような針部２１の位置は、図２に示すように、消火器固定部１０と対向する反対の他方側であり、しかも、消火薬剤Ａを放出するためのサイホン管５の下端に対応させている。針部２１の位置を消火器固定部１０に対向させることは、針部２１に大きな圧力を加えて容器２に打ち込むとともに貫通させるときに針部２１や容器２が偏奇しないようにするためである。また、針部２１の上下方向の位置をサイホン管５の下端に対応させることにより、サイホン管５が消火薬剤Ａを放出するときと同様に、容器２内の消火薬剤Ａの残量を少なくするためである。
【００２４】  一方、固定ブロック２３から突出させた針部２１の先端側には、パッキン２２は配設されている。このパッキン２２は、例えば、ウレタン、シリコン等の樹脂、或いは天然ゴムによって略円形状に形成され、中心に針部２１を挿通させている。そして、パッキン２２の一端側は固定ブロック２３に固定されている。
【００２５】  次に、上述した第１の実施例による消火薬剤排出装置によって消火薬剤を排出する工程を説明する。まず、消火器１を立てた状態で載置台１１に載置するとともに、容器２の外周面の一方側を保持部１２の凹面部１２ａに当接させて固定する。その後、可動具２０を図示の右方から移動させて針部２１を容器２の外周面に当接させるとともに左方に押圧して打ち込み、図１、図２に示すように、針部２１を容器２内まで貫通させる。このとき、パッキン２２が押圧されて図示のように弾性変形し、針部２１と容器２の外周面を密封させ、これにより、針部２１の周囲から消火薬剤Ａが外部に漏出することが防止される。
【００２６】  このように、針部２１を容器２内まで貫通すると、加圧用ガスによって消火薬剤Ａがパイプ状の針部２１内に押し込まれて排出される。この消火薬剤Ａは、針部２１からパイプを介して消火薬剤回収装置３０に流出して回収される。このとき、図示のように、針部２１の位置をサイホン管３の下端に対応させると、サイホン管３が消火薬剤Ａを放出するときと同様に、容器２内の消火薬剤Ａの残量を最小限にすることが可能となる。その後、消火薬剤Ａ及び加圧用ガスが排出された容器２は、消火薬剤排出装置から離脱する。
【００２７】  図４は、本考案による消火薬剤排出装置の第２の実施例を示している。上述した第１の実施例と相違する点は、針部２１を容器２底面から打ち込むように構成したことである。消火器固定部１３は、消火器１を立てた状態で所定位置に載置する載置台１４と、容器２の上端側を保持する上端保持部１５から構成されている。上端保持部１５は、常時は退避していて、消火器１を載置した後に上方から下降させて消火器１を上方から押圧するように保持する。
【００２８】  一方、可動具２４は、上述した第１の実施例と同様に、パイプ状の針部２１及びパッキン２２を固定するとともに、図示の上下方向に移動可能な固定ブロック２５が配設されている。この固定ブロック２５は、図示しない油圧シリンダー、或いは、電動または手動式の移動手段によって進退動自在に構成されている。
【００２９】  次に、消火薬剤排出装置の第２の実施例によって消火薬剤を排出する工程を説明する。まず、消火器１を立てた状態で載置台２６に載置するとともに、上端保持部１５を下降させて消火器１の容器２を上方から保持する。その後、可動具２４の固定ブロック２５を上方向に移動させて針部２１を容器２の底面に押圧して打ち込み、図４に示すように、針部２１を容器２内まで貫通させる。このとき、パッキン２２が押圧されて図示のように弾性変形し、針部２１と容器２の外周面を密封させ、これにより、針部２１の周囲から消火薬剤Ａが外部に漏出することが防止される。
【００３０】  このように、針部２１を容器２内まで貫通すると、上述した第１の実施例と同様に、加圧用ガスによって消火薬剤Ａがパイプ状の針部２１内に押し込まれて排出される。この消火薬剤Ａは、針部２１からパイプを介して上述した消火薬剤回収装置３０に流出して回収される。このように、針部２１の位置を容器２の底面に対応させると、消火薬剤Ａが底面側に貯留しているので、容器２内の消火薬剤Ａの殆ど全量を排出することが可能となる。その後、消火薬剤Ａ及び加圧用ガスが排出された容器２は、消火薬剤排出装置から離脱する。
【００３１】  図５は、本考案による消火薬剤排出装置の第３の実施例を示している。上述した第１の実施例と相違する点は、パイプ状の第２の針部２６を容器２の外面側から打ち込み、圧縮気体を注入して容器２内を加圧するように構成したことである。なお、前述した図１、図２に示した第１の実施例と同符号は同部品を示し、その詳細な説明は省略する。
【００３２】  第２の針部２６及びパッキン２７は、上述した第１の実施例と同様に、可動具２８の固定ブロック２９に配設されている。固定ブロック２９は、第１の実施例と同様に、図示しない油圧シリンダー、或いは、電動または手動式の移動手段によって進退動自在に構成され、図示の左右方向に移動可能としている。なお、図５において、符号４０は加圧式消火器に使用されるガスボンベであり、サイホン管３とともに容器２内に配設され、可動レバー６の操作によってガスボンベ４０内のガスを放出させて容器２内を加圧し、消火薬剤Ａを消火器ホース４から放出する
【００３３】  次に、消火薬剤排出装置の第３の実施例によって消火薬剤を排出する工程を説明する。蓄圧式消火器は、容器２の内部に加圧用ガスが充填されているが、使用期限を越えた場合やバルブ等の欠陥によって加圧用ガスが漏出して圧力が低下していることがある。この場合には、内部の消火薬剤Ａを排出できない。このような消火器の場合は、まず、可動具２８の固定ブロック２９を図示右方に移動させ、第２の針部２６を容器２の外周面に押圧して打ち込み、図５に示すように、針部２６を容器２内まで貫通させる。このとき、パッキン２７が押圧されて図示のように弾性変形し、針部２６と容器２の外周面を密封させ、これにより、針部２６の周囲から圧縮気体が外部に漏出することを防止する。そして、針部２６から、空気等を０．７〜０．９８ＭＰａの圧力に加圧した圧縮気体を容器２内に注入して容器２内を加圧する。これにより、容器２内は、通常の消火器と同様の状態に復元される。その後、図１に示す第１に実施例と同様に、針部２１を容器２内まで貫通することにより、圧縮気体によって消火薬剤Ａが針部２１内に押し込まれて排出される。
【００３４】  以上、本発明を実施例に基づき具体的に説明したが、本発明は上記実施例に限定されるものではなく、その要旨を逸脱しない範囲で種々変形可能であることは言うまでもない。前述した実施例において、消火器は各種の形状のものであっても適用可能である。また、消火器の容器内から消火薬剤を排出するときに立てるように設置したが、横に寝かせた姿勢で針部を打ち込むようにしても良い。さらに、ガスボンベを備えた加圧式消火器にも適用可能である。
【符号の説明】
【００３５】１    消火器
２    容器
５    サイホン管
１０  消火器固定部
１１  載置台
１２  保持部
２０  可動具
２１  針部
２２  パッキン
Ａ    消火薬剤
【図１】
0003196987.tif 000003
【図２】
0003196987.tif 000004
【図３】
0003196987.tif 000005
【図４】
0003196987.tif 000006
【図５】
0003196987.tif 000007